(57)【要約】【課題】  復号キーの配信を管理してコンテンツの無許可のコピー等を良好に禁止する。【解決手段】  ソフトウェアの販売会社１００において、コンテンツサーバ１に保管されたコンテンツが暗号化装置２に供給されて、暗号化キーの発生装置３からの暗号化キーに従って暗号化され、暗号化されたコンテンツが記録媒体４に記録される。それと共に、記録媒体４の１枚ごとの識別符号を記載した書面５が記録媒体４に添付される。また、暗号化キーに対応する復号キーと識別符号が復号キー管理サーバ装置５００に供給され、管理データベース５０１に登録される。そして記録媒体４がユーザー端末３００に挿入されると、ユーザー端末３００は自動的にインターネット４００を通じて復号キー管理サーバ装置５００にアクセスを行い、さらにユーザー端末３００に入力される識別符号が送信され、この識別符号に応じた復号キーがユーザー端末３００に返信される。【選択図】        図１
2007043389.tif 000002
【特許請求の範囲】
【請求項１】
電子的に利用可能なコンテンツに対する無許可でのコピー及び／またはインストール及び／または再生を禁止するための情報管理方法であって、
前記コンテンツには予め暗号化が施されると共に前記コンテンツを含む情報ごとに識別符号を有し、
前記暗号化を復号する復号キーを管理する管理サーバ装置が設けられ、
前記コンテンツのコピー及び／またはインストール及び／または再生時には、前記管理サーバ装置にアクセスし、前記識別符号を送信することにより前記復号キーの配信を受ける
ようにしたことを特徴とする情報管理方法。
【請求項２】
請求項１記載の情報管理方法において、
前記管理サーバ装置では、前記識別符号によるアクセスに対する前記復号キーの配信の回数及び／または期間の管理を行う
ことを特徴とする情報管理方法。
【請求項３】
請求項２記載の情報管理方法において、
前記コンテンツのコピー及び／またはインストール及び／または再生が正常に終了したか否かを示すフラグを設け、
前記フラグの情報を前記復号キーの配信の回数及び／または期間の管理に加味する
ことを特徴とする情報管理方法。
【請求項４】
請求項１記載の情報管理方法において、
前記コンテンツを含む情報は記録媒体に記録されて配布され、
前記記録媒体には、前記管理サーバ装置にアクセスするための通信ソフトウェアが記録されると共に、前記コンテンツを含む情報ごとに識別符号が添付される
ことを特徴とする情報管理方法。
【請求項５】
請求項１記載の情報管理方法において、
前記コンテンツを含む情報はネットワーク上のファイルとして配布され、
前記ファイルには、前記管理サーバ装置にアクセスするための通信ソフトウェアが設けられると共に、前記コンテンツを含む情報ごとに識別符号が添付される
ことを特徴とする情報管理方法。
【請求項６】
電子的に利用可能なコンテンツに対する無許可でのコピー及び／またはインストール及び／または再生を禁止するための情報管理システムであって、
前記コンテンツには予め暗号化が施されると共に前記コンテンツを含む情報ごとに識別符号を有し、
前記暗号化を復号する復号キーを管理する管理サーバ装置と、前記コンテンツのコピー及び／またはインストール及び／または再生の行われる情報端末装置とがネットワークを通じて接続され、
前記コンテンツのコピー及び／またはインストール及び／または再生時には、前記情報端末装置が前記管理サーバ装置にアクセスし、前記識別符号を送信することにより前記復号キーの配信を受ける
ことを特徴とする情報管理システム。
【請求項７】
請求項６記載の情報管理システムにおいて、
前記管理サーバ装置では、前記識別符号によるアクセスに対する前記復号キーの配信の回数及び／または期間の管理を行う
ことを特徴とする情報管理システム。
【請求項８】
請求項７記載の情報管理システムにおいて、
前記コンテンツのコピー及び／またはインストール及び／または再生が正常に終了したか否かを示すフラグを設け、
前記フラグの情報を前記復号キーの配信の回数及び／または期間の管理に加味する
ことを特徴とする情報管理システム。
【請求項９】
請求項６記載の情報管理システムにおいて、
前記コンテンツを含む情報は記録媒体に記録されて配布され、
前記記録媒体には、前記管理サーバ装置にアクセスするための通信ソフトウェアが記録されると共に、前記コンテンツを含む情報ごとに識別符号が添付される
ことを特徴とする情報管理システム。
【請求項１０】
請求項６記載の情報管理システムにおいて、
前記コンテンツを含む情報はネットワーク上のファイルとして配布され、
前記ファイルには、前記管理サーバ装置にアクセスするための通信ソフトウェアが設けられると共に、前記コンテンツを含む情報ごとに識別符号が添付される
ことを特徴とする情報管理システム。
【請求項１１】
電子的に利用可能なコンテンツに対する無許可でのコピー及び／またはインストール及び／または再生を禁止するためのシステムに用いられる情報管理用サーバ装置であって、
前記コンテンツには予め暗号化が施されると共に前記コンテンツを含む情報ごとに識別符号を有して成り、
当該情報管理用サーバ装置は、前記コンテンツのコピー及び／またはインストール及び／または再生の行われる情報端末装置とネットワークを通じて接続され、
前記暗号化を復号する復号キーを管理すると共に、前記コンテンツのコピー及び／またはインストール及び／または再生時には、前記情報端末装置からの前記識別符号の受信に対して前記復号キーの配信を行う
ことを特徴とする情報管理用サーバ装置。
【請求項１２】
請求項１１記載の情報管理用サーバ装置において、
前記識別符号によるアクセスに対する前記復号キーの配信の回数及び／または期間の管理を行う
ことを特徴とする情報管理用サーバ装置。
【請求項１３】
請求項１２記載の情報管理用サーバ装置において、
前記コンテンツのコピー及び／またはインストール及び／または再生が正常に終了したか否かを示すフラグを設け、
前記フラグの情報を前記復号キーの配信の回数及び／または期間の管理に加味する
ことを特徴とする情報管理用サーバ装置。
【請求項１４】
電子的に利用可能なコンテンツに対する無許可でのコピー及び／またはインストール及び／または再生を禁止するためのシステムに用いられる記録媒体であって、
前記システムは、前記コンテンツに予め暗号化が施されると共に、前記コンテンツのコピー及び／またはインストール及び／または再生の行われる情報端末装置と前記暗号化を復号する復号キーを管理する管理サーバ装置とがネットワークを通じて接続されて成り、
当該記録媒体には、前記コンテンツを含む情報と、前記管理サーバ装置にアクセスするための通信ソフトウェアとが記録されると共に、前記コンテンツを含む情報ごとに識別符号が添付され、
前記コンテンツのコピー及び／またはインストール及び／または再生時には、前記情報端末装置から前記通信ソフトウェアにより前記管理サーバ装置へのアクセスを行い、前記識別符号を送信することにより前記復号キーの配信を受ける
ことを特徴とする記録媒体。
【発明の詳細な説明】
【技術分野】
【０００１】
本発明は、例えば記録媒体やネットワークを経由して行われる電子的に利用可能なコンテンツの配布に使用して好適な情報管理方法、情報管理システム、情報管理用サーバ装置及び記録媒体に関する。詳しくは、コンテンツには予め暗号化を施し、その復号キーの管理をネットワーク上で行うことにより、良好な情報の管理を行うことができるようにしたものである。
【背景技術】
【０００２】
暗号化されて配信されたコンテンツを、復号キーの配信を別途から受けて復号するようにしたシステムは、従来から提案されている（例えば、特許文献１参照。）。
【０００３】
一方、本願出願人は、記録媒体上には暗号化されたコンテンツを記録し、この暗号化の復号キーを別途に提供してコンテンツの機密保持を実現するシステムを提案している（例えば、特許文献２参照。）。
【０００４】
すなわち、従来から、配信されたコンテンツや記録媒体上に記録されたコンテンツを、別途に提供される復号キーで復号するシステムは提案されているものである。
【特許文献１】特開２００５−２５３８９号公報
【特許文献２】特願２００４−１９８６０４号
【発明の開示】
【発明が解決しようとする課題】
【０００５】
例えば、各種の処理をコンピュータで行わせるためのプログラムや、映像や音楽等を電子的に利用可能な形式で記録したコンテンツは、ＣＤ−ＲＯＭや、ＤＶＤ−ＲＯＭ等に記録されたソフトウェアとして、販売若しくは貸与が行われている。また、これらのコンテンツを、ネットワークを通じて販売若しくは期間／回数を限定して貸与することも行われている。
【０００６】
ところが、このようにユーザーが購入若しくは賃借したソフトウェアについて、その管理は各自のモラルに任されている事が多く、それを他人に貸与したり、コピーして譲渡したりする事による違法行為が後を絶たない現状がある。すなわち、このような不正な貸与やコピーが行われることによって、これらのソフトウェアの開発メーカには、著しい損害が発生している。
【０００７】
このような不正を防ぐ為に、上述の特許文献１に記載された技術では、別途に配布される復号キーを用いるものであるが、復号されたコンテンツが保存された場合には、その保存コンテンツからのコピーの作成は防止できないものである。また、特許文献２に記載された技術では、別途に配布される復号キーも共に貸与されることによって、不正なインストール及び／または再生が実行されてしまう。
【０００８】
この発明はこのような問題点に鑑みて成されたものであって、本発明の目的は、復号キーの配布を管理することによって、電子的に利用可能なコンテンツに対する無許可でのコピー及び／またはインストール及び／または再生を禁止できるようにするものである。
【課題を解決するための手段】
【０００９】
上記の課題を解決し、本発明の目的を達成するため、請求項１に記載された発明は、電子的に利用可能なコンテンツに対する無許可でのコピー及び／またはインストール及び／または再生を禁止するための情報管理方法であって、コンテンツには予め暗号化が施されると共にコンテンツを含む情報ごとに識別符号を有し、暗号化を復号する復号キーを管理する管理サーバ装置が設けられ、コンテンツのコピー及び／またはインストール及び／または再生時には、管理サーバ装置にアクセスし、識別符号を送信することにより復号キーの配信を受けるようにしたことを特徴とする情報管理方法である。
【００１０】
また、請求項２に記載の情報管理方法においては、管理サーバ装置では、識別符号によるアクセスに対する復号キーの配信の回数及び／または期間の管理を行うことを特徴とするものである。
【００１１】
請求項３に記載の情報管理方法においては、コンテンツのコピー及び／またはインストール及び／または再生が正常に終了したか否かを示すフラグを設け、フラグの情報を復号キーの配信の回数及び／または期間の管理に加味することを特徴とするものである。
【００１２】
請求項４に記載の情報管理方法においては、コンテンツを含む情報は記録媒体に記録されて配布され、記録媒体には、管理サーバ装置にアクセスするための通信ソフトウェアが記録されると共に、コンテンツを含む情報ごとに識別符号が添付されることを特徴とするものである。
【００１３】
請求項５に記載の情報管理方法においては、コンテンツを含む情報はネットワーク上のファイルとして配布され、ファイルには、管理サーバ装置にアクセスするための通信ソフトウェアが設けられると共に、コンテンツを含む情報ごとに識別符号が添付されることを特徴とするものである。
【００１４】
さらに本発明の目的を達成するため、請求項６に記載された発明は、電子的に利用可能なコンテンツに対する無許可でのコピー及び／またはインストール及び／または再生を禁止するための情報管理システムであって、コンテンツには予め暗号化が施されると共にコンテンツを含む情報ごとに識別符号を有し、暗号化を復号する復号キーを管理する管理サーバ装置と、コンテンツのコピー及び／またはインストール及び／または再生の行われる情報端末装置とがネットワークを通じて接続され、コンテンツのコピー及び／またはインストール及び／または再生時には、情報端末装置が管理サーバ装置にアクセスし、識別符号を送信することにより復号キーの配信を受けることを特徴とする情報管理システムである。
【００１５】
また、請求項７に記載の情報管理システムにおいては、管理サーバ装置では、識別符号によるアクセスに対する復号キーの配信の回数及び／または期間の管理を行うことを特徴とするものである。
【００１６】
請求項８に記載の情報管理システムにおいては、コンテンツのコピー及び／またはインストール及び／または再生が正常に終了したか否かを示すフラグを設け、フラグの情報を復号キーの配信の回数及び／または期間の管理に加味することを特徴とするものである。
【００１７】
請求項９に記載の情報管理システムにおいては、コンテンツを含む情報は記録媒体に記録されて配布され、記録媒体には、管理サーバ装置にアクセスするための通信ソフトウェアが記録されると共に、コンテンツを含む情報ごとに識別符号が添付されることを特徴とするものである。
【００１８】
請求項１０に記載の情報管理システムにおいては、コンテンツを含む情報はネットワーク上のファイルとして配布され、ファイルには、管理サーバ装置にアクセスするための通信ソフトウェアが設けられると共に、コンテンツを含む情報ごとに識別符号が添付されることを特徴とするものである。
【００１９】
さらに本発明の目的を達成するため、請求項１１に記載された発明は、電子的に利用可能なコンテンツに対する無許可でのコピー及び／またはインストール及び／または再生を禁止するためのシステムに用いられる情報管理用サーバ装置であって、コンテンツには予め暗号化が施されると共にコンテンツを含む情報ごとに識別符号を有して成り、当該情報管理用サーバ装置は、コンテンツのコピー及び／またはインストール及び／または再生の行われる情報端末装置とネットワークを通じて接続され、暗号化を復号する復号キーを管理すると共に、コンテンツのコピー及び／またはインストール及び／または再生時には、情報端末装置からの識別符号の受信に対して復号キーの配信を行うことを特徴とする情報管理用サーバ装置である。
【００２０】
また、請求項１２に記載の情報管理用サーバ装置においては、識別符号によるアクセスに対する復号キーの配信の回数及び／または期間の管理を行うことを特徴とするものである。
【００２１】
請求項１３に記載の情報管理用サーバ装置においては、コンテンツのコピー及び／またはインストール及び／または再生が正常に終了したか否かを示すフラグを設け、フラグの情報を復号キーの配信の回数及び／または期間の管理に加味することを特徴とするものである。
【００２２】
さらに本発明の目的を達成するため、請求項１４に記載された発明は、電子的に利用可能なコンテンツに対する無許可でのコピー及び／またはインストール及び／または再生を禁止するためのシステムに用いられる記録媒体であって、システムは、コンテンツに予め暗号化が施されると共に、コンテンツのコピー及び／またはインストール及び／または再生の行われる情報端末装置と暗号化を復号する復号キーを管理する管理サーバ装置とがネットワークを通じて接続されて成り、当該記録媒体には、コンテンツを含む情報と、管理サーバ装置にアクセスするための通信ソフトウェアとが記録されると共に、コンテンツを含む情報ごとに識別符号が添付され、コンテンツのコピー及び／またはインストール及び／または再生時には、情報端末装置から通信ソフトウェアにより管理サーバ装置へのアクセスを行い、識別符号を送信することにより復号キーの配信を受けることを特徴とする記録媒体である。
【発明の効果】
【００２３】
本発明の情報管理方法、情報管理システム、情報管理用サーバ装置及び記録媒体によれば、電子的に利用可能なコンテンツに予め暗号化を施すと共にコンテンツを含む情報ごとに識別符号を設け、コンテンツのコピー及び／またはインストール及び／または再生時には、復号キーを管理する管理サーバ装置にアクセスし、識別符号を送信することにより復号キーの配信が受けられるシステムとしたので、復号キーの配信を管理し、コンテンツの無許可でのコピー及び／またはインストール及び／または再生を良好に禁止することができる。
【発明を実施するための最良の形態】
【００２４】
以下、図面を参照して本発明を説明するに、図１は本発明による情報管理方法、情報管理システム、情報管理用サーバ装置及び記録媒体を適用したコンテンツを利用するシステムの一実施形態の構成を示すブロック図である。
【００２５】
図１において、例えばソフトウェアの販売会社１００において、コンテンツサーバ１に保管されたコンテンツが暗号化装置２に供給されて、暗号化キーの発生装置３からの暗号化キーに従って暗号化される。この暗号化されたコンテンツが、例えばＣＤＲＯＭ、ＤＶＤＲＯＭのような記録媒体４に記録される。またこの記録媒体４には、後述する通信ソフトウェアが記録される。それと共に、販売会社１００で発行された記録媒体４の１枚ごとの識別符号を記載した書面５が記録媒体４に添付される。このようにして、記録媒体４と書面５のパッケージされた製品２００が販売される。
【００２６】
一方、販売会社１００からは、上述の発生装置３から暗号化装置２に供給される暗号化キーに対応する復号キーと、書面５に記載される識別符号が、情報管理用サーバ装置としての後述する復号キー管理サーバ装置５００に供給され、その管理データベース５０１に登録される。これによって、復号キー管理サーバ装置５００の管理データベース５０１には、製品２００のそれぞれに添付された書面５に記載の識別符号と、その記録媒体４に記録されたコンテンツの復号キーが関連付けて登録される。
【００２７】
そして上述の記録媒体４と書面５のパッケージされた製品２００がユーザーによって購入され、情報端末装置としてのユーザー端末３００に記録媒体４が挿入されると、ユーザー端末３００は記録媒体４を再生し、最初に上述の通信ソフトウェアが起動されて自動的にインターネット４００を通じて復号キー管理サーバ装置５００にアクセスを行う。このアクセスにより、製品種別等の管理情報が復号キー管理サーバ装置５００に送信されると共に、さらに別途ユーザー端末３００に入力される識別符号（書面５に記載）が送信され、この識別符号に応じた復号キーがユーザー端末３００に返信される。
【００２８】
これによって、ユーザー端末３００では記録媒体４に記録されたコンテンツの復号が可能となり、復号されたコンテンツのインストールや再生が行われる。なお、復号を行うソフトウェアも記録媒体４の中に持つことによって、不正な復号をさらに良好に防止することができる。また、復号キー管理サーバ装置５００では、上述の復号キーがユーザー端末３００に返信された回数や日時が管理データベース５０１に登録され、この登録データを用いて、復号キーの配信の回数や期間に制限を加えることができる。
【００２９】
すなわち上述のシステムにおいては、復号キーによって復号されたコンテンツは、直ちにインストールされたり、再生のみが行われるようにされている。従って復号されたコンテンツそのものが保存されることはなく、ユーザーはインストールや再生を必要とする度に、復号キー管理サーバ装置５００へアクセスを行い復号キーの返信を受ける。これにより、上述の復号キー管理サーバ装置５００の管理データベース５０１を用いて、復号キーの配信の回数や期間に制限を加えることが可能になる。
【００３０】
なお、機器にインストールされた情報は、その状態から元の情報を復元することは極めて困難である。また再生されたコンテンツは、例えばデジタル出力端子を機器に装備させないことにより、そのコピーを作成することができないようにすることができる。従って、このようなシステムを、コンピュータソフトウェアプログラムの販売や、ＤＶＤビデオのレンタル等に適用することによって、極めて有効な情報管理方法、情報管理システム、情報管理用サーバ装置及び記録媒体を実現することができる。
【００３１】
さらに図２及び図３を用いて、上述のシステムにおいて例えばソフトウェアをインストールする際の処理の流れを、フローチャートに沿って説明する。すなわち、図２及び図３において左側には、ユーザー端末３００である情報端末側のフローチャートを示し、右側には、復号キー管理サーバ装置５００である管理サーバ側のフローチャートを示す。
【００３２】
そこで処理が開始（Ｓ）されると、まず情報端末側のステップＳ１で記録媒体４の読み込み処理が行われ、ステップＳ２で製品種別等の管理情報の抽出処理が行われる。そしてステップＳ３で通信ソフトウェア（接続アプリケーション）の起動処理が行われる。これにより、ステップＳ４で接続先（復号キー管理サーバ装置５００）への接続処理と、管理情報の送信処理が行われる。
【００３３】
これに対して、管理サーバ側のステップＳ５では管理情報の受信処理が行われ、ステップＳ６で管理情報の識別処理が行われる。さらにステップＳ７で識別された管理情報の管理データベース（ＤＢ）５０１への登録、更新が行われ、ステップＳ８で対応する申込情報の生成処理が行われて、ステップＳ９で接続元への返信が行われる。
【００３４】
そして情報端末側のステップＳ１０で申込情報の受信が行われ、ステップＳ１１で申込情報の表示処理が行われる。さらにステップＳ１２で、申込に対する情報の受付あるいは同意の可否情報の受付が行われ、ステップＳ１３で入力完了か否か判断される。ここで完了でないとき（Ｎ）はステップＳ１２に戻される。また、入力完了のとき（Ｙ）はステップＳ１４で対応する申込情報の送信が行われる。
【００３５】
さらに、管理サーバ側のステップＳ１５で申込情報が受信され、ステップＳ１６で申込情報の識別処理が行われ、ステップＳ１７で申込情報が同意可であるか否か判断される。ここで同意可であるとき（Ｙ）はステップＳ１８で対応する同意情報の対応処理が行われる。また、ステップＳ１７で同意可でないとき（Ｎ）はステップＳ１９で非同意情報の対応処理が行われる。そしてステップＳ２０で対応する復号キーの抽出処理が行われる。
【００３６】
このようにして抽出された復号キーが、ステップＳ２１で接続元へ返信される。この返信に対して情報端末側のステップＳ２２で復号キーの受信が行われ、ステップＳ２３で正常受信データの判別が行われ、ステップＳ２４で正常受信か否か判断される。ここで正常受信でないとき（Ｎ）はステップＳ２３に戻される。また、正常受信のとき（Ｙ）はステップＳ２５で正常受信の通知処理が行われる。
【００３７】
この情報端末側のステップＳ２５からの正常受信の通知は、管理サーバ側のステップＳ２６で受信され、ステップＳ２７で正常受信であるか否か判断される。ここで正常受信でないとき（Ｎ）はステップＳ２１に戻されて、復号キーの辺処理が繰り返される。これに対して、正常受信であるとき（Ｙ）はステップＳ２８で、管理データベース５０１に対する管理情報の更新処理が行われる。
【００３８】
一方、情報端末側のステップＳ２９では、受信された復号キーによる復号化処理が行われ、ステップＳ３０でインストールの実行処理が行われる。さらに、ステップＳ３１で通信ソフトウェア（接続アプリケーション）の起動処理が行われ、ステップＳ３２でインストールの判別処理が行われる。そしてステップＳ３３で正常終了したか否か判断され、正常終了でないとき（Ｎ）はステップＳ３２に戻されてインストールの判別処理が行われる。なおこの間、ステップＳ３０でインストールの実行処理は継続されている。
【００３９】
そして、ステップＳ３３で正常終了になったとき（Ｙ）は、ステップＳ３４で正常終了フラグの生成処理が行われ、ステップＳ３５で正常終了フラグの送信が行われる。これに対して、管理サーバ側のステップＳ３６で正常終了フラグが受信され、ステップＳ３７で管理データベース５０１に対する正常終了フラグを含む管理情報の更新処理が行われて、処理は終了（Ｅ）される。
【００４０】
さらに図４には、復号キー管理サーバ装置５００（管理サーバ）に設けられる管理データベース５０１の管理情報の例を示す。この図４において、製品２００の製品種別等を示すプロダクトＩＤと識別符号となるライセンスＮｏに対して、暗号キーと復号キーが設けられ、さらにユーザー端末３００から送信された管理情報となる氏名・電話番号等の利用者情報が登録される。そして登録日と同意／非同意の別、さらにインストールの回数やそれが正常に行われた（ＯＫ）か、行われなかった（ＮＧ）を示す情報も登録される。
【００４１】
従って、この管理データベース５０１の管理情報を用いて、インストールを行うことのできる期間や回数に制限を加えることができる。なおこのような制限は、販売されたコンピュータソフトウェアプログラムのインストールに限らず、例えばレンタルされるＤＶＤビデオの再生にも適用可能である。また、コンテンツのコピーを許可する場合にも適用することができる。さらに記録媒体４に記録される場合に限らず、例えばネットワーク上で配信されるコンテンツに対しても適用することができる。
【００４２】
また、上述のシステムにおいては、管理データベース５０１の管理情報の中の利用者情報を販売会社１００に提供することにより、販売会社１００からの修正情報の配信やアップデイトの情報、さらに関連する製品の広告などの配信に利用することができる。ただしこのような利用者情報の提供は、例えばステップＳ１８でユーザー端末３００からの同意が得られている場合にのみ行われるようにすることができる。
【００４３】
さらに、上述のシステムによれば、コンテンツのコピー及び／またはインストール及び／または再生時には、必ず復号キー管理サーバ装置５００へのアクセスが行われるので、その際にコンテンツのプログラム等の修正や、アップデイト等も合わせて行うことができる。すなわち、管理データベース５０１に修正やアップデイトの情報を設けておくことにより、これらの修正やアップデイトを復号キーの返信と同時に実行することができる。
【００４４】
そしてこれらの処理を行う場合において、ユーザー端末３００では、識別符号の入力を行うのみで、その他のほとんどの処理は自動的に行われ、ユーザーには負担を掛けずに、処理を実施することができる。また、復号キー管理サーバ装置５００においては、製品２００の製品種別等の情報と識別符号とを併せて管理を行うようにしているので、異なる復号キーが誤って返信されることがなく、極めて良好な管理を行うことが可能になるものである。
【００４５】
こうして本発明の情報管理方法によれば、電子的に利用可能なコンテンツに対する無許可でのコピー及び／またはインストール及び／または再生を禁止するための方法であって、コンテンツには予め暗号化が施されると共にコンテンツを含む情報ごとに識別符号を有し、暗号化を復号する復号キーを管理する管理サーバ装置が設けられ、コンテンツのコピー及び／またはインストール及び／または再生時には、管理サーバ装置にアクセスし、識別符号を送信することにより復号キーの配信を受けることにより、復号キーの配信を管理し、コンテンツの無許可でのコピー及び／またはインストール及び／または再生を良好に禁止することができる。
【００４６】
また、本発明の情報管理システムによれば、電子的に利用可能なコンテンツに対する無許可でのコピー及び／またはインストール及び／または再生を禁止するためのシステムであって、コンテンツには予め暗号化が施されると共にコンテンツを含む情報ごとに識別符号を有し、暗号化を復号する復号キーを管理する管理サーバ装置と、コンテンツのコピー及び／またはインストール及び／または再生の行われる情報端末装置とがネットワークを通じて接続され、コンテンツのコピー及び／またはインストール及び／または再生時には、情報端末装置が管理サーバ装置にアクセスし、識別符号を送信することにより復号キーの配信を受けることにより、復号キーの配信を管理し、コンテンツの無許可でのコピー及び／またはインストール及び／または再生を良好に禁止することのできるシステムを構築することができる。
【００４７】
さらに本発明の情報管理用サーバ装置によれば、電子的に利用可能なコンテンツに対する無許可でのコピー及び／またはインストール及び／または再生を禁止するためのシステムに用いられる情報管理用サーバ装置であって、コンテンツには予め暗号化が施されると共にコンテンツを含む情報ごとに識別符号を有して成り、当該情報管理用サーバ装置は、コンテンツのコピー及び／またはインストール及び／または再生の行われる情報端末装置とネットワークを通じて接続され、暗号化を復号する復号キーを管理すると共に、コンテンツのコピー及び／またはインストール及び／または再生時には、情報端末装置からの識別符号の受信に対して復号キーの配信を行うことにより、復号キーの配信を管理し、コンテンツの無許可でのコピー及び／またはインストール及び／または再生を良好に禁止することができる。
【００４８】
また、本発明の記録媒体によれば、電子的に利用可能なコンテンツに対する無許可でのコピー及び／またはインストール及び／または再生を禁止するためのシステムに用いられる記録媒体であって、システムは、コンテンツに予め暗号化が施されると共に、コンテンツのコピー及び／またはインストール及び／または再生の行われる情報端末装置と暗号化を復号する復号キーを管理する管理サーバ装置とがネットワークを通じて接続されて成り、当該記録媒体には、コンテンツを含む情報と、管理サーバ装置にアクセスするための通信ソフトウェアとが記録されると共に、コンテンツを含む情報ごとに識別符号が添付され、コンテンツのコピー及び／またはインストール及び／または再生時には、情報端末装置から通信ソフトウェアにより管理サーバ装置へのアクセスを行い、識別符号を送信することにより復号キーの配信を受けることにより、復号キーの配信を管理し、コンテンツの無許可でのコピー及び／またはインストール及び／または再生を良好に禁止することのできるシステムを実現することができるものである。
【００４９】
なお本発明は、上述の説明した実施形態に限定されるものではなく、特許請求の範囲の記載を逸脱しない範囲において、種々の変形が可能とされるものである。
【図面の簡単な説明】
【００５０】
【図１】本発明による情報管理方法、情報管理システム、情報管理用サーバ装置及び記録媒体を適用したコンテンツを利用するシステムの一実施形態の構成を示すブロック図である。
【図２】その動作の説明のためのフローチャート図である。
【図３】その動作の説明のためのフローチャート図である。
【図４】その説明のための管理情報の例を示す線図である。
【符号の説明】
【００５１】
１００…ソフトウェアの販売会社、１…コンテンツサーバ、２…暗号化装置、３…暗号化キーの発生装置、４…記録媒体、５…書面、２００…製品、３００…ユーザー端末、４００…インターネット、５００…復号キー管理サーバ装置、５０１…管理データベース
【図１】
2007043389.tif 000003
【図２】
2007043389.tif 000004
【図３】
2007043389.tif 000005
【図４】
2007043389.tif 000006